(57)【要約】【課題】複数の外部デバイスに格納されるディジタルデータのうちで、印刷対象となるディジタルデータの情報を一覧表示することができ、ユーザが所望するディジタルデータを簡単に選択し、印刷することができるようにすることを目的とする。【解決手段】本発明は、複数の外部デバイスと接続する手段と、上記複数の外部デバイスに格納されているファイルのディジタルデータを視認可能に印刷する手段とを有する。また、複数の外部デバイスに格納されているファイルの中で、印刷対象であるファイルを一元管理する手段と、複数の外部デバイスに格納されているファイルの中で、印刷対象であるファイルの総数を取得する手段と、ファイルの総数を表示する手段とを有する。【選択図】図２
2008143148.tif 000002
【特許請求の範囲】
【請求項１】
複数の外部デバイスと接続する手段と；
上記複数の外部デバイスに格納されているファイルのディジタルデータを視認可能に印刷する手段と；
上記複数の外部デバイスに格納されているファイルの中で、印刷対象であるファイルを一元管理する手段と；
上記複数の外部デバイスに格納されているファイルの中で、印刷対象であるファイルの総数を取得する手段と；
上記ファイルの総数を表示する手段と；
を有することを特徴とする印刷装置。
【請求項２】
複数の外部デバイスと接続する手段と；
上記複数の外部デバイスに格納されているファイルのディジタルデータを視認可能に印刷する手段と；
上記複数の外部デバイスに格納されているファイルの中で、印刷対象であるファイルを一元管理する手段と；
上記複数の外部デバイスに格納されているファイルの中で、印刷対象であるファイルのパス名を取得する手段と；
上記パス名の一覧を表示する手段と；
を有することを特徴とする印刷装置。
【請求項３】
請求項２において、
上記複数の外部デバイスに格納されているファイルの中で、印刷対象であるファイルのパス名から、ディレクトリ名を除いたファイル名を取得する手段と；
上記ファイル名の一覧を表示する手段と；
を有することを特徴とする印刷装置。
【請求項４】
請求項２において、
上記複数の外部デバイスに格納されているファイルの中で、印刷対象であるファイルのパス名から、予め定められたデータ格納位置よりも下位のディレクトリ名、又はファイル名から開始するパス名を取得する手段と；
上記パス名の一覧を表示する手段と；
を有することを特徴とする印刷装置。
【請求項５】
請求項４において、
上記データ格納位置よりも下位のディレクトリは、ＤＣＦ（Ｄｅｓｉｇｎ  ｒｕｌｅ  ｆｏｒ  Ｃａｍｅｒａ  Ｆｉｌｅ  Ｓｙｓｔｅｍ）規格で定められている命名規則に従って生成された画像格納フォルダを有し、ＤＣＩＭフォルダよりも下位のディレクトリのフォルダであることを特徴とする印刷装置。
【請求項６】
請求項２乃至請求項５のいずれか1項において、
上記複数の外部デバイスに格納されているファイルの中で、同一パス名を持つファイルが存在する場合、外部デバイスの機器固有のデータによって、上記ファイルを識別する手段と；
上記同一パス名を持つファイルを表示する場合、上記外部デバイスの機器固有のデータに関連する識別名をファイル名に付加することによって、上記ファイルを識別して表示する手段と；
を有することを特徴とする印刷装置。
【請求項７】
複数の外部デバイスと接続する工程と；
上記複数の外部デバイスに格納されているファイルのディジタルデータを、印刷部が視認可能に印刷する工程と；
上記複数の外部デバイスに格納されているファイルの中で、印刷対象であるファイルを一元管理する工程と；
上記複数の外部デバイスに格納されているファイルの中で、印刷対象であるファイルの総数を取得する工程と；
上記ファイルの総数を、表示手段に表示する工程と；
を有することを特徴とする印刷装置の制御方法。
【請求項８】
複数の外部デバイスと接続する工程と；
上記複数の外部デバイスに格納されているファイルのディジタルデータを、印刷部が視認可能に印刷する工程と；
上記複数の外部デバイスに格納されているファイルの中で、印刷対象であるファイルを一元管理する工程と；
上記複数の外部デバイスに格納されているファイルの中で、印刷対象であるファイルのパス名を取得する工程と；
上記パス名の一覧を、表示手段に表示する工程と；
を有することを特徴とする印刷装置の制御方法。
【発明の詳細な説明】
【技術分野】
【０００１】
本発明は、印刷装置におけるファイルの管理方法及びファイルの表示方法に係り、特に、印刷装置に接続されている複数の外部デバイスに格納されているファイルの管理方法及びファイルの表示方法に関する。
【背景技術】
【０００２】
近年の、ディジタル化の潮流の中で、種々のディジタル機器について、その普及が日々拡大している。そして、印刷装置にスキャナやディジタルカメラやディジタルビデオカメラやメモリカード等、複数の外部デバイスを接続し、外部デバイスで取り込まれたディジタルデータを、直接印刷する印刷装置が知られている（たとえば、特許文献１参照）。
【０００３】
また、これらの複数の外部デバイスからのディジタルデータ入力制御及び印刷制御を、排他的に行うのではなく、複数の外部デバイスからのディジタルデータの入力制御及び印刷制御を、同時に並行して行う印刷装置が知られている。
【特許文献１】特開２００３−１０３８８３号公報
【発明の開示】
【発明が解決しようとする課題】
【０００４】
しかし、従来の印刷装置では、印刷装置と接続した複数の外部デバイスが扱うディジタルデータのうちで、印刷対象となるディジタルデータのファイル総数を知ることができない。ユーザが、印刷対象であるファイルの総数を知るためには、複数の外部デバイスを各々操作し、印刷対象であるファイル数を調べる必要があり、印刷対象であるファイルの総数を、ユーザが知る作業は煩わしいという問題がある。
【０００５】
また、従来の印刷装置では、印刷装置と接続した複数の外部デバイスが扱うディジタルデータのうちで、印刷対象であるファイル名を知ることができない。ユーザが、印刷対象であるファイルのファイル名を知るためには、複数の外部デバイスを各々操作し、印刷対象であるファイルのファイル名を調べる必要があり、ユーザが所望するディジタルデータを簡単に選択し、印刷することができないという問題がある。
【０００６】
そして、従来の印刷装置では、印刷装置と接続した外部デバイスが扱うディジタルデータが増大する傾向にある。一方、印刷装置が有する表示手段によって表示可能なディジタルデータの量には限りがあるので、複数の外部デバイスに格納されているディジタルデータのうちで、印刷対象となるディジタルデータの情報（印刷対象ファイル名等）を一覧表示できない。ユーザが所望するディジタルデータを簡単に選択し、印刷することができない場合があるという問題がある。
【０００７】
さらに、従来の印刷装置では、印刷装置に接続されている複数の外部デバイスが扱うディジタルデータであって、印刷対象となるディジタルデータの中で、同一パス名を持つファイルが存在する場合、ユーザがそれらのファイルを識別できないという問題がある。
【０００８】
本発明は、複数の外部デバイスに格納されるディジタルデータのうちで、印刷対象となるディジタルデータの情報を一覧表示することができ、ユーザが所望するディジタルデータを簡単に選択し、印刷することができるようにすることを目的とする。
【０００９】
また、本発明は、印刷装置と接続した複数の外部デバイスが扱うディジタルデータであって、印刷対象となるディジタルデータの中で、同一パス名を持つファイルが存在する場合、ユーザがそれらのファイルを識別できるようにすることを目的とする。
【課題を解決するための手段】
【００１０】
本発明は、複数の外部デバイスと接続する手段と、上記複数の外部デバイスに格納されているファイルのディジタルデータを視認可能に印刷する手段とを有する。また、複数の外部デバイスに格納されているファイルの中で、印刷対象であるファイルを一元管理する手段と、複数の外部デバイスに格納されているファイルの中で、印刷対象であるファイルの総数を取得する手段と、ファイルの総数を表示する手段とを有する。
【発明の効果】
【００１１】
本発明によれば、複数の外部デバイスに格納されるディジタルデータのうちで、印刷対象となるディジタルデータの情報を一覧表示することができ、ユーザが所望するディジタルデータを簡単に選択し、印刷することができるという効果を奏する。
【発明を実施するための最良の形態】
【００１２】
発明を実施するための最良の形態は、次の実施例である。
【実施例１】
【００１３】
図１は、本発明の実施例１である印刷装置ＰＲ１のハードウェア構成の一例を示す図である。
【００１４】
印刷装置ＰＲ１は、ディジタルカメラ１０２と、ディジタルビデオ１０３と、スキャナ１０４と、メモリカード１０５とを有する。
【００１５】
ディジタルカメラ１０２と、ディジタルビデオ１０３と、スキャナ１０４と、メモリカード１０５とは、印刷装置ＰＲ１の外部デバイスとして有線又は無線接続されている。接続方法の代表例としてＵＳＢ接続が考えられる。これに限らず、他の接続方法であっても、印刷装置と外部デバイスとを接続する方法であればよい。
【００１６】
図２は、印刷装置ＰＲ１の構成の一例を示すブロック図である。
【００１７】
印刷装置ＰＲ１は、ＣＰＵ２０１と、表示手段２０２と、入力手段２０３と、接続部２０４と、ＲＯＭ２０５と、ＲＡＭ２０６と、紙搬送部２２１と、印刷部２２２と、排紙部２２０とを有する。
【００１８】
表示手段２０２は、ＬＣＤやＣＲＴ等である。入力手段２０３は、キーボードやポインティグデバイス等である。接続部２０４は、上記複数の外部デバイスと有線又は無線接続する。ＲＯＭ２０５は、プログラムを記憶する。
【００１９】
ＣＰＵ２０１は、ＲＯＭ２０５に記憶されたプログラムを実行し、後述するフローチャートの手順を実現する。ＲＡＭ２０６は、ＣＰＵ２０１の主メモリ、ワークエリア等として機能する。紙搬送部２２１は、記録紙を搬送する。印刷部２２２は、ディジタルデータを記録紙に視認可能に印刷する。排紙部２２０は、記録紙を排紙する。
【００２０】
ＲＯＭ２０５は、プログラムとして、ファイル総数取得手段２０７と、ファイル総数表示手段２０８と、ファイル一元管理手段２０９と、第１パス名取得手段２１０と、第１パス名一覧表示手段２１１と、ファイル名取得手段２１２とを格納している。ＲＯＭ２０５は、プログラムとして、ファイル名表示手段２１３と、第２パス名取得手段２１４と、第２パス名表示手段２１５と、第３パス名取得手段２１６と、第３パス名表示手段２１７とを格納している。また、ＲＯＭ２０５は、プログラムとして、ファイル識別手段２１８と、ファイル識別表示手段２１９とを格納している。
【００２１】
ファイル総数取得手段２０７は、印刷装置ＰＲ１が上記接続部２０４において複数の外部デバイスと接続されている場合、上記複数の外部デバイスに格納されているファイルの中で、印刷対象であるファイルの総数を取得する。ファイル総数表示手段２０８は、上記ファイルの総数を表示する。ファイル一元管理手段２０９は、上記複数の外部デバイスに格納されているファイルの中で、印刷対象であるファイルを一元管理する。
【００２２】
第１パス名取得手段２１０は、上記複数の外部デバイスに格納されているファイルの中で、印刷対象であるファイルの第１パス名を取得する。第１パス名一覧表示手段２１１は、上記第１パス名の一覧を表示する。ファイル名取得手段２１２は、上記複数の外部デバイスに格納されているファイルの中で、印刷対象であるファイルのパス名から、ディレクトリ名を除いたファイル名を取得する。
【００２３】
ファイル名表示手段２１３は、上記ファイル名を表示する。第２パス名取得手段２１４は、上記複数の外部デバイスに格納されているファイルの中で、印刷対象であるファイルのパス名から、予め定められたデータ格納位置よりも下位のディレクトリ名又はファイル名から開始する第２パス名を取得する。
【００２４】
第２パス名表示手段２１５は、上記第２パス名を表示する。第３パス名取得手段２１６は、上記複数の外部デバイスに格納されているファイルの中で、印刷対象であるファイルのパス名から、第３パス名を取得する。つまり、ＤＣＦ規格で定められた命名規則に従って生成された画像格納フォルダを有する、ＤＣＩＭフォルダよりも下位のディレクトリ名又はファイル名から開始する第３パス名を取得する。なお、上記ＤＣＦは、Ｄｅｓｉｇｎ  ｒｕｌｅ  ｆｏｒ  Ｃａｍｅｒａ  Ｆｉｌｅ  Ｓｙｓｔｅｍである。
【００２５】
第３パス名表示手段２１７は、第３パス名を表示する。ファイル識別手段２１８は、上記複数の外部デバイスに格納されているファイルの中で、同一パス名を持つファイルが存在する場合、外部デバイスの機器固有のデータによって上記ファイルを識別する。
【００２６】
ファイル識別表示手段２１９は、同一パス名を持つファイルを表示手段２０２に表示する場合、上記外部デバイスの機器固有のデータを上記パス名に付加することによって、上記ファイルを識別し、表示する。
【００２７】
次に、実施例１である印刷装置ＰＲ１の動作について説明する。
【００２８】
印刷装置ＰＲ１において、ファイル総数取得手段２０７によって、上記複数の外部デバイスに格納されているファイルの総数を取得し、ファイル総数表示手段２０８によって、上記ファイルの総数を、表示手段２０２に表示する。
【００２９】
図３は、印刷装置ＰＲ１において、ファイル総数取得手段２０７によって、上記複数の外部デバイスに格納されているファイルの総数を取得し、ファイル総数表示手段２０８によって、ファイルの総数を、表示手段２０２に表示する際の概念を示す図である。
【００３０】
ここで仮に、印刷装置３０１が印刷対象としているファイルが、ＪＰＥＧファイル、ＴＩＦＦファイルであるものとする。また、印刷装置３０１には、外部デバイスとしてディジタルカメラ３０２、ディジタルビデオカメラ３０３、スキャナ３０４、メモリカード３０５が接続又は挿入されているとする。そして、ディジタルカメラ３０２には、１つのＪＰＥＧファイルと、２つのＴＩＦＦファイルと、１つのＧＩＦファイルとが格納されているとする（３０６）。
【００３１】
さらに、ディジタルビデオカメラ３０３には、３つのＪＰＥＧファイルと、２つのＭＯＶファイルとが格納されているとする（３０７）。
【００３２】
また、スキャナ３０４に、１つのＪＰＥＧファイルが格納されているとし（３０８）、メモリカード３０５に、２つのＪＰＥＧファイルと、１つのＴＩＦＦファイルと、１つのＢＭＰファイルとが格納されているとする（３０９）。
【００３３】
この場合、印刷装置３０１は、ファイル総数取得手段２０７によって、各外部デバイスに格納されている印刷対象ファイル数を取得する。つまり、ディジタルカメラに格納されているＪＰＥＧ、ＴＩＦＦファイルのファイル数を３個取得し（３０６）、ディジタルビデオカメラに格納されている３個のＪＰＥＧファイル数を取得する（３０７）。そして、スキャナに格納されているＪＰＥＧファイルのファイル数を１個取得し（３０８）、メモリカードに格納されているＪＰＥＧ、ＴＩＦＦファイルのファイル数を３個取得する（３０９）。
【００３４】
図１３は、各デバイスに格納されている印刷対象ファイルのファイル数を、ファイル一元管理手段２０９が一元管理している状態を示す図である。
【００３５】
印刷装置３０１において、複数の外部デバイスに格納されている印刷対象のファイル総数（３＋３＋１＋３＝１０個）を、上記ファイル総数取得手段２０７が取得する。そして、上記複数の外部デバイスに格納されている印刷対象ファイル総数（１０個）を、ファイル総数表示手段２０８が表示手段２０２に表示する（３１０）。
【００３６】
図４は、印刷装置３０１において、上記複数の外部デバイスに格納されているファイルの総数を、ファイル総数取得手段２０７が取得し、ファイル総数表示手段２０８が表示手段２０２に表示するアルゴリズムの詳細を示す図である。
【００３７】
ステップ４０１で、本アルゴリズムを開始する。ステップ４０２で、印刷装置３０１と接続する複数の外部デバイスに格納されているファイル数等、外部デバイス情報を初期化する。ステップ４０３では、接続部２０４を介して外部デバイスと接続されているかどうかを判断する。外部デバイスと接続されている場合、ステップ４０４へ遷移し、接続されていない場合、ステップ４０９へ遷移する。
【００３８】
ステップ４０４で、接続部２０４を介して印刷装置３０１に接続されている外部デバイスに格納されているファイルの情報を、ファイル総数取得手段２０７が取得する。上記外部デバイスは、ディジタルカメラ３０２、ディジタルビデオカメラ３０３、スキャナ３０４又はメモリカード３０５である。
【００３９】
ステップ４０５では、ステップ４０４で取得された外部デバイスに格納されているファイルの情報をＲＡＭ２０６に記憶する。ステップ４０６では、ステップ４０５で記憶された外部デバイスに格納されているファイルのうちで、印刷装置３０１が印刷対象とするファイル（たとえばＪＰＥＧファイル、ＴＩＦＦファイル）のファイル数を、ファイル総数取得手段２０７が取得する。
【００４０】
ステップ４０７では、ステップ４０６で取得された印刷装置３０１が印刷対象とするファイル（たとえばＪＰＥＧファイル、ＴＩＦＦファイル）のファイル数を、ファイル総数取得手段２０７がファイル総数に合計する。ステップ４０８では、ステップ４０７で取得した印刷装置３０１が印刷対象とするファイルの総数を、ファイル一元管理手段２０９がＲＡＭ２０６に記憶し（図１３）、ステップ４０３に遷移する。
【００４１】
ステップ４０９では、ステップ４０８で記憶された印刷装置３０１が印刷対象とするファイルの総数を、ファイル総数表示手段２０８が表示手段２０２に表示する。ステップ４１０は、本アルゴリズムの終点である。
【００４２】
よって、ユーザは、印刷装置３０１と接続する複数の外部デバイス３０２、３０３、３０４、３０５を操作し、印刷対象であるファイルを調べる等、煩わしい操作をせずに、印刷対象であるファイルのファイル数を知ることができる。つまり、複数の外部デバイスに格納されているファイルのうちで、印刷対象であるファイルのファイル数を知ることができる。
【実施例２】
【００４３】
図５は、本発明の実施例２である印刷装置ＰＲ２を示す概念図である。
【００４４】
印刷装置ＰＲ２は、図１及び図２に示す構成を備えている。
【００４５】
印刷装置ＰＲ２は、第１パス名取得手段２１０によって上記複数の外部デバイスに格納されているファイルの第１パス名を取得し、第１パス名一覧表示手段２１１が、上記第１パス名を表示手段２０２に表示する印刷装置である。
【００４６】
印刷装置ＰＲ２は、第１パス名取得手段２１０が、上記複数の外部デバイスに格納されているファイルの第１パス名を取得し、第１パス名一覧表示手段２１１が、上記第１パス名を表示手段２０２に表示する。
【００４７】
ここで、仮に、印刷装置ＰＲ２が印刷対象としているファイルが、ＪＰＥＧファイル、ＴＩＦＦファイルであるとする。また、印刷装置ＰＲ２には、外部デバイスとしてディジタルカメラ５０２、ディジタルビデオカメラ５０３、スキャナ５０４、メモリカード５０５が接続又は挿入されているとする。
【００４８】
また、ディジタルカメラ５０２には、１個のＪＰＥＧファイルと、２個のＴＩＦＦファイルと、１個のＧＩＦファイルとが格納されているとする（５０６）。さらに、ディジタルビデオカメラ５０３には、３個のＪＰＥＧファイルと、２個のＭＯＶファイルとが格納されているとする（５０７）。さらに、スキャナ５０４に、ＪＰＥＧファイルが１個格納されているとする（５０８）。メモリカード５０５に、２個のＪＰＥＧファイルと、１個のＴＩＦＦファイルと、２個のＢＭＰファイルとが格納されているとする（５０９）。
【００４９】
このときに、印刷装置ＰＲ２において、第１パス名取得手段２１０が、各外部デバイスに格納されている印刷対象ファイル名を取得する。つまり、ディジタルカメラに格納されているＪＰＥＧ、ＴＩＦＦファイルの第１パス名５０６、ディジタルビデオカメラに格納されているＪＰＥＧ、ＭＯＶファイルの第１パス名５０７、スキャナに格納されたＪＰＥＧファイルの第１パス名５０８を取得する。また、メモリカードに格納されているＪＰＥＧ、ＴＩＦＦファイルの第１パス名５０９を取得する。
【００５０】
図１４は、ファイル一元管理手段２０９が、各デバイスに格納されている印刷対象ファイルの第１パス名を一元管理している状態を示す図である。
【００５１】
さらに、印刷装置ＰＲ２において、第１パス名一覧表示手段２１１が、上記複数の外部デバイスに格納されている印刷対象ファイルの第１パス名を、表示手段２０２に表示する（５１０）。
【００５２】
図６は、印刷装置ＰＲ２において、第１パス名取得手段２１０が上記複数の外部デバイスに格納されているファイルの第１パス名を取得し、第１パス名一覧表示手段２１１が第１パス名を表示手段２０２に表示する詳細なアルゴリズムを示す図である。
【００５３】
ステップ６０１は、本アルゴリズムの開始点である。ステップ６０２で、印刷装置ＰＲ２と接続する複数の外部デバイスに格納されている第１パス名等、外部デバイス情報を初期化する。ステップ６０３では、接続部２０４を介して外部デバイスと接続しているかどうかを判断する。外部デバイスと接続している場合、ステップ６０４へ遷移し、接続していない場合、ステップ６０８へ遷移する。
【００５４】
ステップ６０４で、第１パス名取得手段２１０が、接続部２０４を介して印刷装置ＰＲ２と接続している外部デバイスに格納されているファイルの情報を取得する。上記外部デバイスは、ディジタルカメラ５０２、ディジタルビデオカメラ５０３、スキャナ５０４、メモリカード５０５のうちの少なくとも１つである。
【００５５】
ステップ６０５では、ステップ６０４で取得された外部デバイスに格納されているファイルの情報を、ＲＡＭ２０６に記憶する。ステップ６０６では、ステップ６０５で記憶された外部デバイスに格納されているファイルのうちで、印刷装置ＰＲ２が印刷対象とするファイル（たとえばＪＰＥＧファイル、ＴＩＦＦファイル）の第１パス名を、第１パス名取得手段２１０が取得する。
【００５６】
ステップ６０７では、ステップ６０６で取得した第１パス名を、ファイル一元管理手段２０９が、ＲＡＭ２０６に記憶し（図１４）、ステップ６０３に遷移する。ステップ６０８では、ステップ６０７で記憶された第１パス名を、第１パス名一覧表示手段２１１が表示手段２０２に表示する。ステップ６０９は、本アルゴリズムの終点である。
【００５７】
よって、ユーザは、印刷装置ＰＲ２と接続する複数の外部デバイス５０２〜５０５を操作し、印刷対象であるファイルを調べる等、煩雑は操作をせずに、印刷対象であるファイルのパス名を知ることができる。つまり、複数の外部デバイスに格納されたファイルのうちで、印刷対象であるファイルのパス名を知ることができる。
【実施例３】
【００５８】
次に、実施例３である印刷装置ＰＲ３の動作について説明する。
【００５９】
印刷装置ＰＲ３は、図１及び図２に示す構成を備えている。
【００６０】
印刷装置ＰＲ３において、第１パス名取得手段２１０が、上記複数の外部デバイスに格納されているファイルの第１パス名を取得する。そして、ファイル名取得手段２１２が、第１パス名からディレクトリ名を除いたファイル名を取得し、ファイル名表示手段２１３が、上記ファイル名を、表示手段２０２に表示する。
【００６１】
図７は、印刷装置ＰＲ３において、第１パス名取得手段２１０が、複数の外部デバイスに格納されているファイルの第１パス名を取得し、ファイル名取得手段２１２が、上記第１パス名からディレクトリ名を除いたファイル名を取得する際の概念図である。
【００６２】
なお、図７において、ファイル名表示手段２１３が、ファイル名を表示手段２０２に表示する。
【００６３】
ここで、印刷装置ＰＲ３が印刷対象としているファイルが、ＪＰＥＧファイル、ＴＩＦＦファイルであるとする。そして、印刷装置ＰＲ３には、外部デバイスとしてディジタルカメラ７０２、ディジタルビデオカメラ７０３、スキャナ７０４、メモリカード７０５が接続されているとする。さらに、ディジタルカメラ７０２には、１個のＪＰＥＧファイルと、２個のＴＩＦＦファイルと、１個のＧＩＦファイルとが格納されているとする（７０６）。さらに、ディジタルビデオカメラ７０３には、３個のＪＰＥＧファイルと、２個のＭＯＶファイルとが格納されているとする（７０７）。さらに、スキャナ７０４に、１個のＪＰＥＧファイルが格納されているとする（７０８）。さらに、メモリカード７０５に２個のＪＰＥＧファイルと、１個のＴＩＦＦファイルと、２個のＢＭＰファイルとが格納されているとする（７０９）。
【００６４】
このときに、印刷装置ＰＲ３は、第１パス名取得手段２１０が、各外部デバイスに格納されている印刷対象ファイル名を取得する。なお、印刷対象ファイル名は、ディジタルカメラに格納されたＪＰＥＧ、ＴＩＦＦファイルの第１パス名７０６、ディジタルビデオカメラに格納されたＪＰＥＧ、ＭＯＶファイルの第１パス名７０７である。また、印刷対象ファイル名は、スキャナに格納されたＪＰＥＧファイルの第１パス名７０８、メモリカードに格納されたＪＰＥＧ、ＴＩＦＦファイルの第１パス名７０９である。
【００６５】
ファイル一元管理手段２０９が、各デバイスに格納されている印刷対象ファイルの第１パス名を一元管理する（図１４）。
【００６６】
図１５は、印刷装置ＰＲ３において、ファイル名取得手段２１２が、第１パス名からディレクトリ名を除いたファイル名を取得し、ファイル一元管理手段２０９が各デバイスに格納されている印刷対象ファイルのファイル名を一元管理している状態を示す図である。
【００６７】
さらに、印刷装置ＰＲ３において、上記ファイル名表示手段２１３が、複数の外部デバイスに格納されている印刷対象ファイルのファイル名を表示手段２０２に表示する（７１０）。
【００６８】
図８は、印刷装置ＰＲ３において、第１パス名取得手段２１０が、複数の外部デバイスに格納されているファイルの第１パス名を取得し、第１パス名から、ファイル名取得手段２１２が、ディレクトリ名を除いたファイル名を取得するアルゴリズムを示す図である。
【００６９】
なお、図８において、ファイル名表示手段２１３が、ファイル名を表示手段２０２に表示する。
【００７０】
ステップ８０１は、本アルゴリズムの開始点である。ステップ８０２で、印刷装置ＰＲ３と接続する複数の外部デバイスに格納されている第１パス名等、外部デバイス情報を初期化する。ステップ８０３では、接続部２０４において、外部デバイスと接続しているかどうかを判断する。外部デバイスと接続している場合、ステップ８０４へ遷移し、接続していない場合、ステップ８１０へ遷移する。
【００７１】
ステップ８０４では、第１パス名取得手段２１０が、印刷装置ＰＲ３と接続部２０４において接続している外部デバイスに格納されているファイルの情報を取得する。外部デバイスは、ディジタルカメラ７０２、ディジタルビデオカメラ７０３、スキャナ７０４、メモリカード７０５のうちの少なくとも１つである。
【００７２】
ステップ８０５では、ステップ８０４で取得された外部デバイスに格納されているファイルの情報を、ＲＡＭ２０６に記憶する。ステップ８０６では、第１パス名取得手段２１０が、ステップ８０５で記憶された外部デバイスに格納されているファイルのうちで、印刷装置ＰＲ３が印刷対象とするファイル（たとえばＪＰＥＧファイル、ＴＩＦＦファイル）の第１パス名を取得する。
【００７３】
ステップ８０７では、ステップ８０６で取得した第１パス名を、ファイル一元管理手段２０９が、ＲＡＭ２０６に記憶する（図１４）。ステップ８０８では、ステップ８０７で記憶された第１パス名から、ファイル名取得手段２１２が、ディレクトリ名を除いたファイル名を取得する。
【００７４】
ステップ８０９では、ステップ８０８で取得されたファイル名を、ファイル一元管理手段２０９が、ＲＡＭ２０６に記憶し（図１５）、ステップ８０３に遷移する。ステップ８１０では、ステップ８０９で記憶されたファイル名を、ファイル名表示手段２１３が、表示手段２０２に表示する。ステップ８１１は、本アルゴリズムの終点である。
【００７５】
よって、ユーザは、印刷装置ＰＲ３と接続する各外部デバイス７０２〜７０５を操作し、印刷対象であるファイルを調べる等、煩雑な操作をせずに、複数の外部デバイスに格納されているファイルのうちで、印刷対象であるファイルのパス名を知ることができる。さらに、表示可能な情報量が限られている表示部においても、多くの印刷対象ファイル情報を表示することができ、ユーザが所望するディジタルデータを、簡単に選択し、印刷することができる。
【実施例４】
【００７６】
次に、実施例４である印刷装置ＰＲ４の動作について説明する。
【００７７】
印刷装置ＰＲ４は、図１及び図２に示す構成を備えている。
【００７８】
印刷装置ＰＲ４において、第１パス名取得手段２１０が、複数の外部デバイスに格納されているファイルの第１パス名を取得する。また、第３パス名取得手段２１６が、上記第１パス名から、ＤＣＦ規格で定められている命名規則に従って生成された画像格納フォルダを有する、ＤＣＩＭフォルダよりも下位のディレクトリのディレクトリ名又はファイル名から開始する第３パス名を取得する。そして、第３パス名表示手段２１７によって、上記第３パス名を表示手段２０２に表示する。なお、上記ＤＣＦは、Ｄｅｓｉｇｎ  ｒｕｌｅ  ｆｏｒ  Ｃａｍｅｒａ  Ｆｉｌｅ  Ｓｙｓｔｅｍである。
【００７９】
図９は、印刷装置ＰＲ４において、第１パス名取得手段２１０が、複数の外部デバイスに格納されているファイルの第１パス名を取得する際の概念図である。
【００８０】
なお、図９において、第３パス名取得手段２１６が、第１パス名から、第３パス名を取得する。つまり、ＤＣＦ規格で定められた命名規則に従って生成された画像格納フォルダを有する、ＤＣＩＭフォルダよりも下位のディレクトリ名又はファイル名から開始する第３パス名を取得する。そして、第３パス名表示手段２１７が、第３パス名を表示手段２０２に表示する。
【００８１】
ここで、印刷装置ＰＲ４が印刷対象としているファイルが、ＪＰＥＧファイル、ＴＩＦＦファイルであるとする。また、印刷装置ＰＲ４には、外部デバイスとして第１ディジタルカメラ９０２、第２ディジタルカメラ９０３、第３ディジタルカメラ９０４、メモリカード９０５が接続されているとする。さらに、第１ディジタルカメラ９０２には、１個のＪＰＥＧファイルと、２個のＴＩＦＦファイルと、１個のＧＩＦファイルとが格納されているとする（９０６）。さらに、第２ディジタルカメラ９０３には、１個のＪＰＥＧファイルと、１個のＴＩＦＦファイルと、２個のＰＮＧファイルとが格納されているとする（９０７）。さらに、第３ディジタルカメラ９０４には、２個のＴＩＦＦファイルと、１個のＭＰＧファイルと、１個のＧＩＦファイルとが格納されているとする（９０８）。さらに、メモリカード９０５に、２個のＪＰＥＧファイルと、１個のＴＩＦＦファイルと、２個のＢＭＰファイルとが格納されているとする（９０９）。
【００８２】
このときに、印刷装置ＰＲ４において、第１パス名取得手段２１０が、各外部デバイスに格納されている印刷対象ファイルの第１パス名を取得する。なお、印刷対象ファイルの第１パス名は、第１ディジタルカメラに格納されたＪＰＥＧ、ＴＩＦＦファイルの第１パス名９０６、第２ディジタルカメラに格納されたＪＰＥＧ、ＴＩＦＦファイルの第１パス名（９０７）である。また、印刷対象ファイルの第１パス名は、第３ディジタルカメラに格納されたＴＩＦＦファイルの第１パス名９０８、メモリカードに格納されたＪＰＥＧ、ＴＩＦＦファイルの第１パス名９０９である。そして、ファイル一元管理手段２０９が、各デバイスに格納されている印刷対象ファイルの第１パス名を管理する。
【００８３】
さらに、印刷装置ＰＲ４において、第３パス名取得手段２１６が、第１パス名から、第３パス名を取得する。つまり、ＤＣＦ規格で定められている命名規則に従って生成された画像格納フォルダを有する、ＤＣＩＭフォルダよりも下位のディレクトリのディレクトリ名、又はファイル名から開始する第３パス名を取得する。なお、上記ＤＣＦは、Ｄｅｓｉｇｎ  ｒｕｌｅ  ｆｏｒ  Ｃａｍｅｒａ  Ｆｉｌｅ  Ｓｙｓｔｅｍである。
【００８４】
図１６は、ファイル一元管理手段２０９が、各デバイスに格納されている印刷対象ファイルの第３パス名を管理している状態を示す図である。
【００８５】
さらに、印刷装置ＰＲ４において、第３パス名表示手段２１７が、上記第３パス名を表示手段２０２に表示する（９１０）。
【００８６】
図１０は、本発明の実施例４である印刷装置ＰＲ１において、第１パス名取得手段２１０が、上記複数の外部デバイスに格納されているファイルの第１パス名を取得する動作を示すフローチャートである。
【００８７】
そして、第３パス名取得手段２１６が、第１パス名から、ＤＣＦ規格で定められている命名規則に従って生成された画像格納フォルダを有する、ＤＣＩＭフォルダよりも下位のディレクトリ名又はファイル名から開始する第３パス名を取得する。そして、第３パス名表示手段２１７が、第３パス名を表示手段２０２に表示する。
【００８８】
ステップ１００１は、本アルゴリズムの開始点である。ステップ１００２では、印刷装置ＰＲ４と接続する複数の外部デバイスに格納されている第３パス名等、外部デバイス情報を初期化する。
【００８９】
ステップ１００３では、接続部２０４において、外部デバイスと接続しているかどうかを判断する。外部デバイスと接続している場合、ステップ１００４へ遷移し、接続していない場合、ステップ１０１０へ遷移する。
【００９０】
ステップ１００４では、ファイル総数取得手段２０７が、印刷装置ＰＲ４と接続部２０４において接続している外部デバイスに格納されているファイルの情報を取得する。なお、外部デバイスは、第１ディジタルカメラ９０２、第２ディジタルカメラ９０３、第３ディジタルカメラ９０４、メモリカード９０５のうちの少なくとも１つである。
【００９１】
ステップ１００５では、ステップ１００４で取得された外部デバイスに格納されているファイルの情報を、ＲＡＭ２０６に記憶する。ステップ１００６では、第１パス名取得手段２１０が、ステップ１００５で記憶された外部デバイスに格納されているファイルのうちで、印刷装置ＰＲ４が印刷対象とするファイル（たとえばＪＰＥＧファイル、ＴＩＦＦファイル）の第１パス名を取得する。
【００９２】
ステップ１００７では、ステップ１００６で取得した外部デバイスに格納されているファイルのうちで、印刷装置ＰＲ４が印刷対象とするファイルの第１パス名を、ファイル一元管理手段２０９がＲＡＭ２０６に記憶する（図１４）。
【００９３】
ステップ１００８では、ステップ１００７で取得した第１パス名から、第３パス名を取得する。つまり、第３パス名取得手段２１６が、ＤＣＦ規格で定められている命名規則に従って生成された画像格納フォルダを有する、ＤＣＩＭフォルダよりも下位のディレクトリ名又はファイル名から開始する第３パス名を取得する。
【００９４】
ステップ１００９では、ステップ１００８で取得した第３パス名を、ファイル一元管理手段２０９がＲＡＭ２０６に記憶し（図１６）、ステップ１００３へ遷移する。ステップ１０１０では、ステップ１００９で記憶された第３パス名を、第３パス名表示手段２１７が表示手段２０２に表示する。ステップ１０１１は、本アルゴリズムの終点である。
【００９５】
よって、ユーザは、印刷装置ＰＲ４と接続する複数の外部デバイス９０２〜９０５を操作し、印刷対象であるファイルを調べる等、煩雑な操作をせずに、複数の外部デバイスに格納されているファイルのうちで印刷対象であるファイルのパス名を知ることができる。さらに、表示可能な情報量が限られた表示部においても、多くの印刷対象ファイル情報を表示することができ、ユーザが所望するディジタルデータを簡単に選択し、印刷することができる。
【実施例５】
【００９６】
次に、実施例５である印刷装置ＰＲ５の動作について説明する。
【００９７】
印刷装置ＰＲ５は、図１及び図２に示す構成を備えている。
【００９８】
印刷装置ＰＲ５において、第１パス名取得手段２１０が複数の外部デバイスに格納されているファイルの第１パス名を取得する。そして、第１パス名一覧表示手段２１１が、表示手段２０２に表示する際に、同一パス名を持つファイルが存在する場合、外部デバイスの機器固有のデータに応じて、ファイル識別手段２１８が、上記ファイルを識別する。また、同一パス名を持つファイルを表示手段２０２に表示する場合、上記外部デバイスの機器固有のデータに関連する識別名を上記パス名に付加することによって上記ファイルを識別し、ファイル識別表示手段２１９が、表示手段２０２に表示する。
【００９９】
図１１は、印刷装置ＰＲ５の動作を示す図である。
【０１００】
第１パス名取得手段２１０が、複数の外部デバイスに格納されているファイルの第１パス名を取得する。そして、ファイルのパス名の中に、同一パス名を持つファイルが存在する場合、ファイル識別手段２１８が、同一パス名を識別し、ファイル識別表示手段２１９が、表示手段２０２に上記同一パス名を持つファイルを識別して表示する。
【０１０１】
ここで仮に、印刷装置ＰＲ５が印刷対象としているファイルがＪＰＥＧファイル、ＴＩＦＦファイルであるとする。そして、印刷装置ＰＲ５には、外部デバイスとして第１ディジタルカメラ１１０２、第２ディジタルカメラ１１０３、第３ディジタルカメラ１１０４、第４ディジタルカメラ１１０５が接続されているとする。
【０１０２】
さらに、第１ディジタルカメラ１１０２には、１個のＪＰＥＧファイルと、２個のＴＩＦＦファイルと、１個のＧＩＦファイルとが格納されているとする（１１０６）。さらに、第２ディジタルカメラ１１０３には、２個のＪＰＥＧファイルと、２個のＰＮＧファイルとが格納されているとする（１１０７）。さらに、第３ディジタルカメラ１１０４には、１個のＪＰＥＧファイルと、１個のＴＩＦＦファイルと、１個のＭＰＧファイルと、１個のＧＩＦファイルとが格納されているとする（１１０８）。
【０１０３】
さらに、第４ディジタルカメラ１１０５には、２個のＪＰＥＧファイルと、１個のＴＩＦＦファイルと、２個のＢＭＰファイルとが格納されているとする（１１０９）。ディジタルカメラ１１０２、１１０３、１１０４、１１０５には、それぞれ同一パス名を持つファイル（ＤＣＩＭ／１００ＡＢＣＤＥ／ＩＭＧ＿０００１．ＪＰＧ）が格納されているとする（１１１１）。
【０１０４】
このときに、印刷装置ＰＲ５は、第１パス名取得手段２１０が、各外部デバイスに格納された印刷対象ファイルの第１パス名を取得する。印刷対象ファイルの第１パス名は、第１ディジタルカメラに格納されているＪＰＥＧ、ＴＩＦＦファイルの第１パス名１１０６、第２ディジタルカメラに格納されているＪＰＥＧ、ＰＮＧファイルの第１パス名１１０７である。また、印刷対象ファイルの第１パス名は、第３ディジタルカメラに格納されておいるＪＰＥＧ、ＴＩＦＦファイルの第１パス名１１０８、第４ディジタルカメラに格納されているＪＰＥＧ、ＴＩＦＦファイルの第１パス名１１０９である。
【０１０５】
ファイル一元管理手段２０９が、各デバイスに格納されている印刷対象ファイルの第１パス名を管理する（図１４）。印刷装置ＰＲ５では、ファイル一元管理手段２０９が管理している第１パス名の中で、同一パス名が２つ以上存在する場合、ファイル識別手段２１８が、ＵＳＢ規格におけるベンダＩＤとプロダクトＩＤ等、各外部デバイスを識別する機器固有のデータを識別する。そして、上記機器固有のデータによって、上記同一パス名を持つファイルを識別する。
【０１０６】
図１７は、機器固有データテーブルの内容を示す図である。
【０１０７】
印刷装置ＰＲ５は、ファイル識別手段２１８が取得した機器固有のデータに関連付けられるベンダ名とプロダクト名等の識別名とを、図１７に示す機器固有データテーブルとしてＲＯＭ２０５に保持する。ファイル識別手段２１８は、上記機器固有データテーブル（図１７）から、ＵＳＢ規格におけるベンダＩＤ及びプロダクトＩＤ等、各々の外部デバイスを識別する機器固有のデータに対応するベンダ名とプロダクト名とを取得する。そして、上記同一パス名を持つファイルに付加した識別パス名を取得する。
【０１０８】
さらに、印刷装置ＰＲ５において、ファイル識別表示手段２１９が、上記識別パス名を表示手段２０２に表示する（１１１０）。なお、実施例５では、同一パス名を持つファイルを識別するための機器固有のデータは、ＵＳＢ規格におけるベンダＩＤとプロダクトＩＤとであるが、これに限らず、その他、同一パス名を識別できるものであればよい。
【０１０９】
図１２は、本発明の実施例５である印刷装置ＰＲ５の動作を示すフローチャートである。
【０１１０】
第１パス名取得手段２１０が、上記複数の外部デバイスに格納されているファイルの第１パス名を取得する。上記第１パス名の中に、同一パス名を持つファイルが２つ以上存在する場合、ファイル識別手段２１８が、ＵＳＢ規格におけるベンダＩＤとプロダクトＩＤ等、各外部デバイスを識別する機器固有のデータに基づいて、上記同一パス名を持つファイルを識別する。そして、ファイル識別表示手段２１９が、上記同一パス名を持つファイルを、表示手段２０２に表示する。
【０１１１】
ステップ１２０１は、本アルゴリズムの開始点である。ステップ１２０２で、印刷装置ＰＲ５と接続する複数の外部デバイスに格納されている第１パス名等、外部デバイス情報の初期化を行う。ステップ１２０３で、外部デバイスと接続部２０４において接続しているかどうかを判断する。外部デバイスと接続している場合、ステップ１２０４へ遷移し、接続していない場合、ステップ１２１３へ遷移する。
【０１１２】
ステップ１２０４で、第１パス名取得手段２１０が、接続部２０４において、印刷装置ＰＲ５と接続している外部デバイスに格納されているファイルの情報を取得する。なお、上記外部デバイスは、第１ディジタルカメラ１１０２、第２ディジタルカメラ１１０３、第３ディジタルカメラ１１０４、第４ディジタルカメラ１１０５のうちの少なくとも１つである。
【０１１３】
ステップ１２０５では、ステップ１２０４で取得された外部デバイスに格納されているファイルの情報を、ＲＡＭ２０６に記憶する。ステップ１２０６では、第１パス名取得手段２１０が、ステップ１２０５で記憶された外部デバイスに格納されているファイルのうちで、印刷装置ＰＲ５が印刷対象とするファイル（たとえばＪＰＥＧファイル、ＴＩＦＦファイル）の第１パス名を取得する。
【０１１４】
ステップ１２０７では、ステップ１２０６で取得した外部デバイスに格納されているファイルのうちで、印刷装置ＰＲ５が印刷対象とするファイルの第１パス名を、ファイル一元管理手段２０９がＲＡＭ２０６に記憶する（図１４）。
【０１１５】
ステップ１２０８では、ステップ１２０７で記憶されたファイルの第１パス名の中で、同一パス名を持つファイル名が存在するかどうかを判断する。同一パス名を持つファイル名が存在すれば、ステップ１２０９へ遷移し、同一パス名を持つファイル名が存在しない場合、ステップ１２０３へ遷移する。
【０１１６】
ステップ１２０９では、同一パス名を持つファイルが存在する外部デバイスの機器固有データ（たとえばＵＳＢ規格におけるベンダＩＤ、プロダクトＩＤ）を取得する。
【０１１７】
ステップ１２１０では、ステップ１２０９で取得した外部デバイスの機器固有のデータから、対応する識別名（たとえばベンダ名、プロダクト名）を、上記機器固有データテーブル（図１７）から取得する。なお、上記外部デバイスの機器固有のデータは、たとえばＵＳＢ規格におけるベンダＩＤ及びプロダクトＩＤである。
【０１１８】
ステップ１２１１では、ファイル識別手段２１８が、ステップ１２１０で取得した識別名を、ステップ１２０７で記憶されたファイルの第１パス名に付加し、識別パス名を取得する。ステップ１２１２では、ステップ１２１１で取得した識別パス名を、ＲＡＭ２０６に記憶し、ステップ１２０３に遷移する。
【０１１９】
ステップ１２１３では、ステップ１２０７で記憶されたファイルのパス名、又はステップ１２１２で記憶された識別パス名を、第１パス名表示手段２１０又はファイル識別表示手段２１９が、表示手段２０２に表示する。ステップ１２１４は、本アルゴリズムの終点である。
【０１２０】
よって、ユーザは、印刷装置ＰＲ５と接続する各外部デバイス１１０２〜１１０５を操作し、印刷対象であるファイルのパス名を知ることができる。つまり、印刷対象であるファイルを調べる等、煩雑な操作をせずに、複数の外部デバイスに格納されているファイルのうちで、印刷対象であるファイルのパス名を知ることができる。さらに、表示可能な情報量が限られた表示部でも、多くの印刷対象ファイル情報を表示することができ、ユーザが所望するディジタルデータを簡単に選択し、印刷することができる。さらに、複数の外部デバイスに格納されているファイルのうちで、同一パスが存在する場合、機器固有のデータをパス名に付加することによって、同一パス名を持つファイルを識別することができる。したがって、ユーザが所望するディジタルデータを確実に選択し、印刷することができる。
【０１２１】
請求項１記載の発明は、印刷装置と接続した複数の外部デバイスに格納されているディジタルデータのうちで、印刷対象であるファイルの総数を表示する。したがって、印刷装置と接続した複数の外部デバイスを操作せずに、ユーザが所望するディジタルデータを簡単に選択し、印刷することができる。
【０１２２】
請求項２記載の発明は、印刷装置と接続した複数の外部デバイスが扱うディジタルデータのうちで、印刷対象であるファイルのパス名の一覧を表示する。したがって、印刷装置と接続した複数の外部デバイスを操作せずに、ユーザが所望するディジタルデータを簡単に選択し、印刷することができる。
【０１２３】
請求項３記載の発明は、印刷装置と接続した複数の外部デバイスが扱うディジタルデータのうちで、印刷対象であるファイルのパス名からディレクトリ名を除いたファイル名を一覧表示する。したがって、表示可能な情報量が限られた表示部においても、多くの印刷対象ファイル情報を表示することができ、ユーザが所望するディジタルデータを簡単に選択し、印刷することができる。
【０１２４】
請求項４記載の発明は、印刷装置と接続した複数の外部デバイスが扱うディジタルデータのうちで、印刷対象であるファイルのパス名から、予め定められたデータ格納位置よりも下位のディレクトリ名又はファイル名から開始するパス名を取得する。そして、その一覧を表示する。したがって、表示可能な情報量が限られた表示部においても、多くの印刷対象ファイル情報を表示することができ、ユーザが所望するディジタルデータを簡単に選択し、印刷することができる。
【０１２５】
請求項５記載の発明は、印刷装置と接続した複数の外部デバイスが扱うディジタルデータのうちで、印刷対象であるファイルのパス名から、パス名を取得し、その一覧を表示する。つまり、ＤＣＦ規格で定められた命名規則に従って生成された画像格納フォルダを有する、ＤＣＩＭフォルダよりも下位のディレクトリ名から開始するパス名を取得し、その一覧を表示する。したがって、表示可能な情報量が限られた表示部においても、多くの印刷対象ファイル情報を表示することができ、ユーザが所望するディジタルデータを簡単に選択し、印刷することができる。
【０１２６】
請求項６記載の発明は、印刷装置と接続した複数の外部デバイスが扱うディジタルデータのうちで、印刷対象であるファイルの中で同一パス名を持つファイルが存在する場合、ディジタル機器固有のデータによって上記ファイルを識別する。そして、上記ファイルにディジタル機器固有のデータに関連する識別名を上記パス名に付加した識別パス名を表示する。したがって、ユーザが所望するディジタルデータを簡単に選択し、印刷することができる。
【図面の簡単な説明】
【０１２７】
【図１】本発明の実施例１である印刷装置ＰＲ１のハードウェア構成の一例を示す図である。
【図２】印刷装置ＰＲ１の構成の一例を示すブロック図である。
【図３】印刷装置ＰＲ１において、ファイル総数取得手段２０７によって、上記複数の外部デバイスに格納されているファイルの総数を取得し、ファイル総数表示手段２０８によって、ファイルの総数を、表示手段２０２に表示する際の概念を示す図である。
【図４】印刷装置３０１において、上記複数の外部デバイスに格納されているファイルの総数を、ファイル総数取得手段２０７が取得し、ファイル総数表示手段２０８が表示手段２０２に表示するアルゴリズムの詳細を示す図である。
【図５】本発明の実施例２である印刷装置ＰＲ２を示す概念図である。
【図６】印刷装置ＰＲ２において、第１パス名取得手段２１０が上記複数の外部デバイスに格納されているファイルの第１パス名を取得し、第１パス名一覧表示手段２１１が第１パス名を表示手段２０２に表示する詳細なアルゴリズムを示す図である。
【図７】印刷装置ＰＲ３において、第１パス名取得手段２１０が、複数の外部デバイスに格納されているファイルの第１パス名を取得し、ファイル名取得手段２１２が、上記第１パス名からディレクトリ名を除いたファイル名を取得する際の概念図である。
【図８】印刷装置ＰＲ３において、第１パス名取得手段２１０が、複数の外部デバイスに格納されているファイルの第１パス名を取得し、第１パス名から、ファイル名取得手段２１２が、ディレクトリ名を除いたファイル名を取得する動作を示す図である。
【図９】印刷装置ＰＲ４において、第１パス名取得手段２１０が、複数の外部デバイスに格納されているファイルの第１パス名を取得する際の概念図である。
【図１０】本発明の実施例４である印刷装置ＰＲ１において、第１パス名取得手段２１０が、上記複数の外部デバイスに格納されているファイルの第１パス名を取得する動作を示すフローチャートである。
【図１１】印刷装置ＰＲ５の動作を示す図である。
【図１２】本発明の実施例５である印刷装置ＰＲ５の動作を示すフローチャートである。
【図１３】各デバイスに格納されている印刷対象ファイルのファイル数を、ファイル一元管理手段２０９が一元管理している状態を示す図である。
【図１４】ファイル一元管理手段２０９が、各デバイスに格納されている印刷対象ファイルの第１パス名を一元管理している状態を示す図である。
【図１５】印刷装置ＰＲ３で、ファイル名取得手段２１２が、第１パス名からディレクトリ名を除いたファイル名を取得し、ファイル一元管理手段２０９が各デバイスに格納されている印刷対象ファイルのファイル名を一元管理している状態を示す図である。
【図１６】ファイル一元管理手段２０９が、各デバイスに格納されている印刷対象ファイルの第３パス名を管理している状態を示す図である。
【図１７】機器固有データテーブルの内容を示す図である。
【符号の説明】
【０１２８】
ＰＲ１、ＰＲ２、ＰＲ３、ＰＲ４、ＰＲ５…印刷装置、
２０１…ＣＰＵ、
２０２…表示手段、
２０３…入力手段、
２０４…接続部、
２０５…ＲＯＭ、
２０７…ファイル総数取得手段、
２０８…ファイル総数表示手段、
２０９…ファイル一元管理手段、
２１０…第１パス名取得手段、
２１１…第１パス名一覧表示手段、
２１２…ファイル名取得手段、
２１３…ファイル名表示手段、
２１４…第２パス名取得手段、
２１５…第２パス名表示手段、
２１６…第３パス名取得手段、
２１７…第３パス名表示手段、
２１８…ファイル識別手段、
２１９…ファイル識別表示手段。
【図１】
2008143148.tif 000003
【図２】
2008143148.tif 000004
【図３】
2008143148.tif 000005
【図４】
2008143148.tif 000006
【図５】
2008143148.tif 000007
【図６】
2008143148.tif 000008
【図７】
2008143148.tif 000009
【図８】
2008143148.tif 000010
【図９】
2008143148.tif 000011
【図１０】
2008143148.tif 000012
【図１１】
2008143148.tif 000013
【図１２】
2008143148.tif 000014
【図１３】
2008143148.tif 000015
【図１４】
2008143148.tif 000016
【図１５】
2008143148.tif 000017
【図１６】
2008143148.tif 000018
【図１７】
2008143148.tif 000019